(57)【要約】【課題】本発明は電気的な接続を容易に行うことができ、かつ小型化を図ることができるジョイントコネクタを提供する。【解決手段】本ジョイントコネクタＪ１は、一直線形状の複数の雄端子１をマトリックス状の配置で垂設固定した第１の基板２と、第１の基板２と基板面同士、略平行に配置された第２の基板３と、第１の基板２と第２の基板３とを接続する接続部材４と、第２の基板３上に固定されたスイッチ部品５と、第２の基板３上に固定された通信部品６と、これら雄端子１、第１の基板２、接続部材４、第２の基板３、スイッチ部品５、通信部品６の周囲を覆い一括保護する雄ハウジング７とを有する。通信部品６は雄端子１を介して外部と通信可能に構成され、通信部品６からスイッチ部品５に送信される駆動指令信号により、スイッチ部品５の切換動作が行われ、所望の負荷を駆動させる。【選択図】図１
2008146834.tif 000002
【特許請求の範囲】
【請求項１】
一直線形状の複数の雄端子を備えたジョイントコネクタであって、
前記複数の雄端子を垂設固定した第１の基板と、
該第１の基板と基板面同士、略平行に間隔を隔てて配置された第２の基板と、
前記第１の基板と前記第２の基板とを接続する接続部材と、
前記第２の基板上に固定されたスイッチ部品と、
前記第１の基板又は前記第２の基板上に固定された通信部品と、
これら雄端子、第１の基板、接続部材、第２の基板、スイッチ部品及び通信部品の周囲を覆う雄ハウジングとを有し、
前記雄端子、前記第１の基板、前記接続部材、前記第２の基板は、この並び順通り、前記雄端子の長手方向に向かって一直線状に配置されており、
前記雄ハウジングは、中空のハウジング本体と、該ハウジング本体に前記第１の基板の基板面に対して垂直方向に突出して設けられ、前記雄端子の先端部側を開口して形成された雌端子固定部とを有し、
前記第１の基板及び前記第２の基板にはそれぞれ電気回路が形成され、該電気回路は、前記スイッチ部品を介して前記複数の雄端子間を電気的に接続しており、
前記通信部品は前記雄端子を介して外部と通信可能に構成され、
前記スイッチ部品は前記通信部品からの指令により切換動作可能に構成されている、
ことを特徴とするジョイントコネクタ。
【請求項２】
前記接続部材は、前記第１の基板と前記第２の基板との間に複数垂設された一直線状の端子であることを特徴とする請求項１に記載のジョイントコネクタ。
【請求項３】
前記接続部材は、前記第１の基板と前記第２の基板の端部同士間に隣接状態に垂設された中間基板と、該中間基板上を介して前記第１の基板と前記第２の基板の対向面同士に渡って配置された複数の可撓性のある導体とからなることを特徴とする請求項１記載のジョイントコネクタ。
【請求項４】
一直線形状の複数の雄端子を備えたジョイントコネクタであって、
該複数の雄端子を垂設固定した第３の基板と、
該第３の基板上に固定されたスイッチ部品及び通信部品と、
これら雄端子、第３の基板、スイッチ部品及び通信部品の周囲を覆う雄ハウジングとを有し、
前記雄ハウジングは、中空のハウジング本体と、該ハウジング本体に前記第３の基板の基板面に対して垂直方向に突出して設けられ、前記雄端子の先端部側を開口して形成された雌端子固定部とを有し、
前記第３の基板には多層化された電気回路が形成され、該電気回路は、前記スイッチ部品を介して前記複数の雄端子間を電気的に接続しており、
前記通信部品は前記雄端子を介して外部と通信可能に構成され、
前記スイッチ部品は前記通信部品からの指令により切換動作可能に構成されている、
ことを特徴とするジョイントコネクタ。
【請求項５】
前記雌端子固定部には、電力供給用及び通信用の電線にそれぞれ接続され前記雄端子に接続される複数の雌端子を収容する収容部を積層した雌端子ハウジングが挿入され固定されることを特徴とする請求項１乃至４のいずれか１つの項に記載のジョイントコネクタ。
【発明の詳細な説明】
【技術分野】
【０００１】
本発明は、例えば自動車等の車両に用いられるジョイントコネクタに関する。
【背景技術】
【０００２】
近年、自動車等の車両においては、乗車時の快適性、安全性及び利便性に対するニーズの高まりに伴い、モータ、ヒータ、ランプ、ペルチェユニット等の多くの電装品が使用されている。これらの電装品に電力を供給したり、各種信号を送受信するためにワイヤーハーネス等の電線が車両内に配索されており、さらに、複数の電線間を接続するためにジョイントコネクタや電気接続箱（ジャンクションボックス、リレーボックス、ヒューズボックスも含む）が用いられている。
【０００３】
例えば、特許文献１には、複数の電線のうち任意の電線間を相互接続するためのジョイントコネクタにおいて、各電線に対応した複数のプレスフィット端子と、これらプレスフィット端子を収容するハウジングと、このハウジング内に設けられ、各プレスフィット端子のプレスフィット部がスルーホールに圧入されることで任意のプレスフィット端子間を相互接続する基板とを備え、ハウジング内に基板を互いに間隔をおいて複数段に設け、プレスフィット端子に、長さ方向に間隔をおいて複数のプレスフィット部を形成し、各プレスフィット部を各段の基板のスルーホールに圧入したジョイントコネクタが提案されている（以下、この技術を従来例１という）。
【０００４】
また、特許文献２には、ケースの下側にプリント基板を配置し、上側に該プリント基板と平行に電線及びブスバーを配設し、該プリント基板と直交するケースの周壁にプリント基板、ブスバー及び電線などの内部回路と接続されるワイヤハーネス結合用コネクタを設けると共に、このワイヤハーネス結合用コネクタの取付面にリレー用のコネクタを設けた電気接続箱が提案されている（以下、この技術を従来例２という）。
【特許文献１】特開２００５−３２２５５７号公報
【特許文献２】特開２０００−９２６６１号公報
【発明の開示】
【発明が解決しようとする課題】
【０００５】
従来例１のジョイントコネクタでは、何ら機能部品を載せていない基板上に複数の雄端子を立設し、それを雄ハウジング内に固定している。このようなジョイントコネクタは単に雄端子同士を、基板上に形成された電気回路により電気的に接続して電気分配しているだけであり、ジョイントコネクタ内で電気回路の接続を切り替えたり、切り離すなどの動作を外部で行う必要があり、電気的な接続が煩雑になるという課題があった。
【０００６】
従来例２の電気接続箱では、布線回路、バスバー回路、基板を用いた回路と、併設されたリレーにより、これらの機能を１つに纏めているが、多数の機能を集積化した結果、非常に大型になってしまうという課題があった。
【０００７】
本発明は、上記課題を解決するためになされたものであり、電気的な接続を容易に行うことができ、かつ小型化を図ることができるジョイントコネクタを提供することを目的とする。
【課題を解決するための手段】
【０００８】
本発明の第１のジョイントコネクタは、一直線形状の複数の雄端子を備えたジョイントコネクタであって、
前記複数の雄端子を垂設固定した第１の基板と、
該第１の基板と基板面同士、略平行に間隔を隔てて配置された第２の基板と、
前記第１の基板と前記第２の基板とを接続する接続部材と、
前記第２の基板上に固定されたスイッチ部品と、
前記第１の基板又は前記第２の基板上に固定された通信部品と、
これら雄端子、第１の基板、接続部材、第２の基板、スイッチ部品及び通信部品の周囲を覆う雄ハウジングとを有し、
前記雄端子、前記第１の基板、前記接続部材、前記第２の基板は、この並び順通り、前記雄端子の長手方向に向かって一直線状に配置されており、
前記雄ハウジングは、中空のハウジング本体と、該ハウジング本体に前記第１の基板の基板面に対して垂直方向に突出して設けられ、前記雄端子の先端部側を開口して形成された雌端子固定部とを有し、
前記第１の基板及び前記第２の基板にはそれぞれ電気回路が形成され、該電気回路は、前記スイッチ部品を介して前記複数の雄端子間を電気的に接続しており、
前記通信部品は前記雄端子を介して外部と通信可能に構成され、
前記スイッチ部品は前記通信部品からの指令により切換動作可能に構成されている、
ことを特徴とするものである。
【０００９】
前記接続部材は、前記第１の基板と前記第２の基板との間に複数垂設された一直線状の端子であってもよい。
【００１０】
前記接続部材は、前記第１の基板と前記第２の基板の端部同士間に隣接状態に垂設された中間基板と、該中間基板上を介して前記第１の基板と前記第２の基板の対向面同士に渡って配置された複数の可撓性のある導体とからなるものでもよい。
【００１１】
本発明の第２のジョイントコネクタは、一直線形状の複数の雄端子を備えたジョイントコネクタであって、
該複数の雄端子を垂設固定した第３の基板と、
該第３の基板上に固定されたスイッチ部品及び通信部品と、
これら雄端子、第３の基板、スイッチ部品及び通信部品の周囲を覆う雄ハウジングとを有し、
前記雄ハウジングは、中空のハウジング本体と、該ハウジング本体に前記第３の基板の基板面に対して垂直方向に突出して設けられ、前記雄端子の先端部側を開口して形成された雌端子固定部とを有し、
前記第３の基板には多層化された電気回路が形成され、該電気回路は、前記スイッチ部品を介して前記複数の雄端子間を電気的に接続しており、
前記通信部品は前記雄端子を介して外部と通信可能に構成され、
前記スイッチ部品は前記通信部品からの指令により切換動作可能に構成されている、
ことを特徴とするものである。
【００１２】
前記雌端子固定部には、電力供給用及び通信用の電線にそれぞれ接続され前記雄端子に接続される複数の雌端子を収容する収容部を積層した雌端子ハウジングが挿入され固定されるものでもよい。
【発明の効果】
【００１３】
請求項１に係る発明によれば、第１の基板及び第２の基板にはそれぞれ電気回路が形成され、該電気回路は、スイッチ部品を介して複数の雄端子間を電気的に接続しており、通信部品は雄端子を介して外部と通信可能に構成され、スイッチ部品は通信部品からの指令により切換動作可能に構成されているので、ジョイントコネクタ内で電気回路の接続を切り替えたり、切り離すなどの電気的な接続動作を容易に行うことができる。
【００１４】
また、雄端子の長手方向に一直線状に部品を並べているので、製品の小型化を図ることができる。
【００１５】
請求項２に係る発明によれば、接続部材として一直線状の端子を用いているので、雄端子の長手方向に部品を直列的に接続することが容易になり、ジョイントコネクタの製造が容易になるとともに、ジョイントコネクタを小型に構成することができる。
【００１６】
請求項３に係る発明によれば、第１の基板、中間基板及び第２の基板は、一枚の基板の両端部を内側に折り曲げ又は切断することにより形成されるので、製造が容易である。
【００１７】
請求項４に係る発明によれば、多層化された電気回路を備えている１枚の第３の基板により電気的な接続を行っているので、高さ方向の小型化を図ることができる。
【００１８】
請求項５に係る発明によれば、雄ハウジングの雌ハウジング固定部に雌端子ハウジングを挿入することにより、電力供給用及び通信用の電線を一括して接続することができる。
【発明を実施するための最良の形態】
【００１９】
以下、本発明の実施の形態について図面を参照して説明する。図１（Ａ）は本発明の第１の実施形態例に係るジョイントコネクタを示す正面断面図、（Ｂ）は第１の基板の平面図、（Ｃ）は雌端子ハウジングを示す斜視図、図２は雄端子及び接続部材の接続状態を示す正面図である。
【００２０】
図１（Ａ）及び（Ｂ）に示すように、本発明の第１の実施形態例に係るジョイントコネクタＪ１は、一直線形状の複数の雄端子１をマトリックス状の配置で垂設固定した第１の基板２と、第１の基板２と基板面同士、略平行に配置された第２の基板３と、第１の基板２と第２の基板３とを接続する接続部材４と、第２の基板３上に固定されたスイッチ部品５と、第２の基板３上に固定された通信部品６と、これら雄端子１、第１の基板２、接続部材４、第２の基板３、スイッチ部品５、通信部品６の周囲を覆い一括保護する雄ハウジング７とを有する。
【００２１】
雄端子１、第１の基板２、接続部材４、第２の基板３は、この並び順通り、雄端子１の長手方向に向かって一直線状に配置されている。
【００２２】
雄端子１は、図２に示すように、第１の基板２と半田８により接続されている。
【００２３】
また、接続部材４は、第１の基板２と第２の基板３との間に複数垂設された一直線状の端子である。接続部材４の基端部にはプレスフィット部４ａが形成され、そのプレスフィット部４ａを第１の基板２に形成されたスルーホール２ａ内に圧入保持することにより、接続部材４は、第１の基板２に接続される。接続部材４の先端部は、第２の基板３と半田９により接続されている。
【００２４】
なお、接続部材４の基板部もスポット半田付けにより第１の基板に接続してもよい。
【００２５】
雄ハウジング７の雌端子固定部７ｂには、ワイヤーハーネス等からなる電力供給用及び通信用の電線Ｗにそれぞれ接続され、雄端子１に接続される複数の雌端子１０を収容する収容部１１を積層して構成された雌端子ハウジング１２が挿入され固定される。雌端子ハウジング１２の先端部には、雄端子１が挿入される挿入孔１２ａが形成されている（図１（Ｃ）参照）。
【００２６】
雄ハウジング７のハウジング本体７ａの内側底面と第２の基板３の底面との間には、第２の基板３上のスイッチ部品５等から発生する熱を放熱するための放熱シート１３が設けられている。
【００２７】
通信部品６は、第１の基板２に設けられていてもよく、第１の基板２及び第２の基板３の両方に設けられていてもよい。
【００２８】
図３は本発明の第１の実施形態例に係るジョイントコネクタＪ１の電気接続経路を示す回路図である。
【００２９】
第１の基板２及び第２の基板３には電気回路Ｃが形成されている。
【００３０】
図３に示すように、電気回路Ｃは、スイッチ部品５を介して複数の雄端子１間を電気的に接続している。スイッチ部品５は、例えばリレー、ハーフブリッジ回路等からなり、電源線Ｗ１側と接地線Ｗ２側との接続を切り換えて、モータ、ヒータ、ランプ、ペルチェユニット等の負荷１４に電流を供給して駆動させる。
【００３１】
図３に示すように、ジョイントコネクタＪ１への全ての電気的な入出力は、ここでは第１の基板２でいったん受け、第１の基板２上の電気回路Ｃで適宜、取り回した上で、接続部材４により第２の基板３と受け渡しを行う形をとっている。
【００３２】
また、通信部品６は通信線Ｗ３、雄端子１を介して外部と通信可能に構成されている。通信部品６からスイッチ部品５に送信される駆動指令信号により、スイッチ部品５の切換動作が行われ、所望の負荷１４を駆動させることができる。
【００３３】
本発明の第１の実施形態例に係るジョイントコネクタＪ１によれば、第１の基板２及び第２の基板３にはそれぞれ電気回路Ｃが形成され、該電気回路Ｃは、スイッチ部品５を介して複数の雄端子１間を電気的に接続しており、通信部品６は雄端子１を介して外部と通信可能に構成され、スイッチ部品５は通信部品６からの指令により切換動作可能に構成されているので、ジョイントコネクタ内で電気回路Ｃの接続を切り替えたり、切り離すなどの電気的な接続動作を容易に行うことができる。
【００３４】
なお、第１の基板２上では、適宜、第２の基板３上の好適な位置に接続部材４を固定できるように回路形成されており、第２の基板３上の電気回路Ｃの配線の複雑さを吸収している。
【００３５】
また、雄端子１の長手方向に一直線状に部品を並べているので、製品の小型化を図ることができる。
【００３６】
なお、第１の基板２上の電気回路Ｃは、接続部材４を適宜、第２の基板３上の任意の位置に固定するように形成されている。よって、第２の基板３上への接続部材４の固定位置を任意に設定できるので、複雑になりがちな第２の基板２上の電気回路Ｃの配線を単純化することができる。
【００３７】
よって、第２の基板３を小型化することができ、第１の基板２と第２の基板３は略同一面積の基板で構成することができる。そのため、ジョイントコネクタＪ１は内部の実装効率を非常に高いものとしながら、全体の外観を雄端子１の長手方向に凹凸の少ないスマートな全体形状で構成することができる。
【００３８】
また、接続部材４として一直線状の端子を用いているので、雄端子１の長手方向に部品を直列的に接続することが容易になり、ジョイントコネクタの製造が容易になるとともに、ジョイントコネクタを小型に構成することができる。
【００３９】
さらに、雄ハウジング７の雌ハウジング固定部７ｂに雌端子ハウジング１２を挿入することにより、電力供給用及び通信用の電線Ｗを一括して接続することができる。
【００４０】
図４（Ａ）は本発明の第２の実施形態例に係るジョイントコネクタを示す正面断面図、（Ｂ）は中間基板の両端にある第１の基板２及び第２の基板３を折り曲げた状態を示す説明図である。
【００４１】
図４（Ａ）に示すように、本発明の第２の実施形態例に係るジョイントコネクタＪ２では、接続部材４は、第１の基板２と第２の基板３の端部同士間に隣接状態に垂設された中間基板１５と、中間基板１５上を介して第１の基板２と第２の基板３の対向面同士に渡って配置された複数の可撓性のある導体１６とからなることを特徴としている。
【００４２】
図４（Ｂ）に示すように、第１の基板２、中間基板１５及び第２の基板３は、一枚の基板の両端部を内側に折り曲げ又は切断することにより形成される。
【００４３】
導体１６は断面が略フラット形でもよく、略丸形でもよい。
【００４４】
なお、その他の構成は、第１の実施形態例と同じであり、同一構成部分には、同一符号を付して、その説明を省略する。
【００４５】
本発明の第２の実施形態例に係るジョイントコネクタＪ２によれば、第１の基板２、中間基板１５及び第２の基板３は、一枚の基板の両端部を内側に折り曲げ又は切断することにより形成されるので、製造が容易である。
【００４６】
図５は本発明の第３の実施形態例に係るジョイントコネクタを示す正面断面図である。
【００４７】
図５に示すように、本発明の第３の実施形態例に係るジョイントコネクタＪ３では、複数の雄端子１を略矩形のマトリックス状の配置で垂設固定した第３の基板１７を備え、第３の基板１７上にスイッチ部品５及び通信部品６が固定され、第３の基板１７には多層化された電気回路Ｃが形成されていて、その電気回路Ｃは、スイッチ部品５を介して複数の雄端子１間を電気的に接続している点を特徴としている。
【００４８】
なお、その他の構成は、第１の実施形態例と同じであり、同一構成部分には、同一符号を付して、その説明を省略する。
【００４９】
本発明の第３の実施形態例に係るジョイントコネクタＪ３によれば、多層化された電気回路Ｃを備えている１枚の第３の基板１７により電気的な接続を行っているので、高さ方向の小型化を図ることができる。
【００５０】
なお、図５のように、第３の基板を多層化する代わりに、図６に示すように、電気回路Ｃを第３の基板１７上の上面と下面に形成し、互いにスルーホール１８を介して接続することも可能である。
【００５１】
本発明は、上記実施の形態に限定されることはなく、特許請求の範囲に記載された技術的事項の範囲内において、種々の変更が可能である。
【産業上の利用可能性】
【００５２】
本発明のジョイントコネクタは、例えば自動車等の車両に用いられ、複数の電線を接続するために用いられる。
【図面の簡単な説明】
【００５３】
【図１】（Ａ）は本発明の第１の実施形態例に係るジョイントコネクタを示す正面断面図、（Ｂ）は第１の基板の平面図、（Ｃ）は雌端子ハウジングを示す斜視図である。
【図２】雄端子及び接続部材の接続状態を示す正面図である。
【図３】本発明の第１の実施形態例に係るジョイントコネクタの電気接続経路を示す回路図である。
【図４】（Ａ）は本発明の第２の実施形態例に係るジョイントコネクタを示す正面断面図、（Ｂ）は中間基板の両端にある第１の基板及び第２の基板を折り曲げた状態を示す説明図である。
【図５】本発明の第３の実施形態例に係るジョイントコネクタを示す正面断面図である。
【図６】図５に示すジョイントコネクタの変形例を示す正面断面図である。
【符号の説明】
【００５４】
Ｊ１，Ｊ２，Ｊ３：ジョイントコネクタ
１：雄端子
２：第１の基板
３：第２の基板
４：接続部材
５：スイッチ部品
６：通信部品
７：雄ハウジング
７ａ：ハウジング本体
７ｂ：雌端子固定部
８：半田
９：半田
１０：雌端子
１１：収容部
１２：雌端子ハウジング
１３：放熱シート
１４：負荷
１５：中間基板
１６：導体
１７：第３の基板
１８：スルーホール
Ｗ：電線
Ｗ１：電源線
Ｗ２：接地線
Ｗ３：通信線
Ｃ：電気回路
【図１】
2008146834.tif 000003
【図２】
2008146834.tif 000004
【図３】
2008146834.tif 000005
【図４】
2008146834.tif 000006
【図５】
2008146834.tif 000007
【図６】
2008146834.tif 000008